(57)【要約】      （修正有）【課題】一貫した真のＣＶの計測等を可能にするウェブ・コールトラッキング統合方法及びウェブ・コールトラッキング統合システムを提供する。【解決手段】ウェブ・コールトラッキング統合方法は、所定の閲覧ウェブページ情報、並びに、閲覧ウェブページへ消費者が移行してくる前の前ウェブページから取得されるリファラ情報を取得し、閲覧ウェブページへ消費者が移行時又はその後に、複数の電話情報から１つを割り当て、閲覧ウェブページ情報、リファラ情報、割り当てた電話情報、及び、割り当てた時間の第１時間情報を第１コールトラッキング情報として記憶するステップと、消費者から電話があった際に、少なくとも、その電話のあった第２電話情報と、電話のあった時間の第２時間情報と、を第２コールトラッキング情報として記憶するステップと、第１コールトラッキング情報と第２コールトラッキング情報とを統合するステップとを有する。【選択図】図３
2020187671.tif 000002
【特許請求の範囲】
【請求項１】
消費者の情報処理端末装置の表示手段に表示されて前記消費者に閲覧されるように設定されているインターネットの所定のウェブページ内または広告枠内に、そのオーナーへの情報要求のための番号情報の表示欄を設定するステップと、
前記ウェブページまたは前記広告枠のオーナーによって、前記情報要求のための番号情報としても兼用される計測用番号情報を、予め複数本分用意するステップと、
前記所定のウェブページまたは広告枠に係る消費者の行動履歴を分析するウェブ解析用のリファラ情報を設定するステップと、
前記消費者が前記所定のウェブページまたは広告枠を閲覧したとき、前記番号情報の表示欄に、前記予め複数本分用意された計測用番号情報のうちから、そのとき利用可能な１つの計測用番号情報を選択し、それを所定の継続時間に亘って表示するステップと、
前記消費者が前記所定のウェブページまたは広告枠を閲覧したとき、その時刻の情報と、前記所定のウェブページまたは広告枠に係るウェブ媒体またはブラウザの情報と、前記所定のウェブページまたは広告枠の閲覧の際に用いられた情報処理端末装置または広告媒体の種類の情報と、前記所定のウェブページまたは広告枠に含まれているリファラ情報の情報とを、１つに纏めて、コールデータとして記憶するステップと、
前記消費者が前記所定のウェブページまたは広告枠を閲覧したときから、前記消費者に係るコールトラッキングを発動するステップと、
を有するウェブ・コールトラッキング統合方法。
【請求項２】
請求項１記載のウェブ・コールトラッキング統合方法において、
前記インターネットの所定のウェブページ内または広告枠内に前記オーナーへの情報要求のための番号情報の表示欄を設定するステップの代わりに、前記インターネットの所定のウェブページ内または広告枠内に前記オーナーへの情報要求のための番号情報の表示要求ボタンまたは電話開始ボタンを設定するステップと、
前記消費者が前記所定のウェブページまたは広告枠を閲覧したとき、前記番号情報の表示欄に、前記予め複数本分用意された計測用番号情報のうちから、そのとき利用可能な１つの計測用番号情報を選択し、それを所定の継続時間に亘って表示するステップの代わりに、前記消費者が番号情報の表示要求ボタンまたは電話開始ボタンをクリックしたとき、前記番号情報の表示欄に、前記予め複数本分用意された計測用番号情報のうちから、そのとき利用可能な１つの計測用番号情報を選択し、それを所定の継続時間に亘って表示するステップと、
前記消費者が前記所定のウェブページまたは広告枠を閲覧したときから、前記消費者に係るコールトラッキングを発動するステップの代わりに、前記消費者が番号情報の表示要求ボタンまたは電話開始ボタンをクリックしたときから、前記消費者に係るコールトラッキングを発動するステップと、
を有するウェブ・コールトラッキング統合方法。
【請求項３】
請求項１または２に記載のウェブ・コールトラッキング統合方法において、
前記記憶されたコールデータを用い、前記コールデータに合致する前記消費者に係るウェブ解析データと前記コールトラッキングによって得られたコールトラッキングデータとを紐付けて、前記消費者の前記ウェブおよび電話における行動履歴の一貫した解析を可能とするデータを形成するステップを有する
ウェブ・コールトラッキング統合方法。
【請求項４】
請求項１から３のうちいずれかに記載のウェブ・コールトラッキング統合方法において、
前記所定のウェブページまたは広告枠の閲覧の際に用いられた情報処理端末装置の種類、または、前記情報要求の際に閲覧された印刷媒体を含む広告媒体の種類ごとに、異なった種類の番号情報を、前記計測用番号情報として、予め用意しておく
ウェブ・コールトラッキング統合方法。
【請求項５】
請求項１から４のうちいずれかに記載のウェブ・コールトラッキング統合方法において、
前記コールデータは、前記消費者が前記情報要求の際に使用した前記消費者自身の所有する番号情報である発信者番号情報、前記情報要求に係る通話時間の情報のうち、すくなくとも１種類の情報を、さらに含む
ウェブ・コールトラッキング統合方法。
【請求項６】
請求項１から５のうちいずれかに記載のウェブ・コールトラッキング統合方法を実施するために用いられるシステムであって、
予め複数本分用意された前記計測用番号情報を記憶する記憶手段と、
前記消費者が前記所定のウェブページまたは広告枠を閲覧したとき、または、前記消費者が番号情報の表示要求ボタンまたは電話開始ボタンをクリックしたとき、前記複数本の計測用番号情報のうちからそのとき利用可能な１つの計測用番号情報を選択し、それを前記所定のウェブページまたは広告枠の番号情報欄に表示するべく読み出す計測用番号情報読出手段と、
前記消費者が前記所定のウェブページまたは広告枠を閲覧したときの、時刻の情報と、そのときウェブサーバー等から取得可能な前記所定のウェブページまたは広告枠に係るウェブ媒体またはブラウザの情報と、前記所定のウェブページまたは広告枠の閲覧の際に用いられた情報処理端末装置の種類またはそれ以外の広告媒体の種類の情報と、上述のウェブページまたは広告枠に含まれているリファラ情報とを、１つに纏めて、コールデータとして記憶するコールデータ記憶手段３と、
前記消費者が前記所定のウェブページまたは広告枠を閲覧したとき、または、前記消費者が前記番号情報の表示要求ボタンまたは電話開始ボタンをクリックしたときから、前記消費者に係るコールトラッキングを発動する、コールトラッキング発動手段と、
を有するウェブ・コールトラッキング統合システム。
【請求項７】
消費者の情報処理端末装置の表示手段に表示された前記消費者に閲覧されるように設定されているインターネットの所定の閲覧ウェブページ情報、並びに、閲覧ウェブページへ消費者が移行してくる前の前ウェブページから取得されるリファラ情報を取得し、
前記閲覧ウェブページへ消費者が移行時又はその後に、複数の電話情報から１つを割り当て、
前記閲覧ウェブページ情報、リファラ情報、割り当てた第１電話情報、及び、割り当てた時間の第１時間情報を第１コールトラッキング情報として記憶するステップと、
消費者から電話があった際に、少なくとも、その電話のあった第２電話情報と、電話のあった時間の第２時間情報と、を第２コールトラッキング情報として記憶するステップと、
前記第１コールトラッキング情報と、前記第２コールトラッキング情報とを、統合するステップと、
を有するウェブ・コールトラッキング統合方法。
【発明の詳細な説明】
【技術分野】
【０００１】
本発明はウェブ（Ｗｅｂ）における消費者の行動履歴の情報と電話での消費者の行動履歴の情報とを統合し、それらを一貫した最終的なＣＶ（Ｃｏｎｖｅｒｓｉｏｎ）等の計測・解析を可能にするウェブ・コールトラッキング統合方法、およびその方法の実施のために用いられるウェブ解析・コールトラッキング統合システムに関する。
【背景技術】
【０００２】
特許文献１には、アフィリエイト・ウェブサイト・パフォーマンスのコンピュータ・ベース解析、つまり従来のウェブコンテンツ管理および消費者行動履歴解析等のための技術が提案されている。
例えばＧｏｏｇｌｅ  Ａｎａｌｙｔｉｃｓ（登録商標）などのウェブ（Ｗｅｂ）解析ツールの普及により、いわゆるウェブ広告におけるＣＶ解析等の効果測定は日々発展してきた。
【先行技術文献】
【特許文献】
【０００３】
【特許文献１】特表２００８−５２００４４号公報
【発明の概要】
【発明が解決しようとする課題】
【０００４】
しかしながら、消費者（いわゆるオーディエンス）がウェブ広告を見て、それへの反響としてウェブ上の連絡欄やメール等を経由して広告主（企業、店舗等）に問合せをした場合の効果測定結果と、ＰＣ（Ｐｅｒｓｏｎａｌ  Ｃｏｍｐｕｔｅｒ）においてウェブ上に掲げられていた電話番号を見た後、固定電話機もしくは携帯電話機またはスマートフォン（Ｓｍａｒｔ  Ｐｈｏｎｅ：以下、ＳＰと略称する）によって広告主に問合せをした場合の効果測定結果とが、大幅に相違するようになってきた。
特に、緊急性の高いサービスや、例えば冠婚葬祭業、エステ・美容業、酒販業、旅行代理店のような業種の場合、消費者は、相談したいことや質したい疑問点があることが多く、それへの回答を今すぐに欲しがる傾向にあるので、それらの質問や現時点での予約受付の可否などを質すために、消費者が電話での問合せをする場合が多い。
従って、上述のような広告主やウェブページオーナーの場合には特に、例えばウェブサイトの右上やその他目に付きやすい位置に、消費者の眼に目立ちやすいように電話番号を提示してあるので、それを消費者が見て、直ちに自分のＳＰや携帯電話または固定電話を手に取って、ＰＣ画面等に提示されている電話番号に電話をかける。
このため、ウェブ解析の視点からすれば、消費者はただ一瞬だけウェブサイトを訪れてその広告を見ただけで、すぐにそのサイトから出で行った（所謂流出した）ものと評価（解析）されてしまうこととなる。
けれども、実際には、そのサイトから出て行った直後から、その消費者は電話での購買行動を開始しているのであるが、その履歴はウェブ解析には反映されない。
このため、ウェブ解析によるＣＶ計測結果等の解析データが、実際の消費者の最終的なＣＶ結果とは大幅に相違することとなっていた。
また同様の理由で、ウェブ解析によるＣＶ計測結果等の解析データと、コールトラッキングによるＣＶ計測結果等の解析データとが、大幅に相違することとなっていた。具体的には、例えば２〜３倍もの差異が生じることは普通である、といった報告もある。
しかも、スマートフォン（ＳＰ）の急激な普及により、消費者は、ＰＣでウェブ広告を見てから、使用するデバイスを電話機やＳＰに持ち替えて、電話で広告主に問合せやＣＶを行なう、という流れがますます増加している。
このため、上述の相違は今後もさらに大きなものとなることが、確実に予想される。
【０００５】
また、従来のコールトラッキング方法においては、例えば、各検索ブラウザまたはウェブ媒体毎に、またキーワード毎に、また消費者の使用する情報処理端末装置や通信装置の種類毎に、コールトラッキング用電話番号（つまり電話ＣＶ計測用電話番号など）を予め固定的に設定したものを多数本分用意しておき、電話の架電があると、そのときの検索ブラウザおよびキーワードの組み合わせに合致するコールトラッキング用電話番号がその後のコールトラッキングに所謂インデックス的情報として用いられるように設定されていた。
ところが、上述のような従来の方法の場合、インターネット広告で運用型広告が大半を占めるようになってきた現在では、予め用意すべきコールトラッキング用電話番号の本数は、例えば１００００本のような莫大な本数分が必要になってしまう。
なぜなら、例えば、想定される検索ブラウザの数が１０種類あり、かつキーワードが１００種類あり、かつ消費者の使用が想定される情報処理端末装置の種類が１０種類あったとすると、それだけでも組み合わせの数は、１０×１００×１０＝１００００となるのであり、しかも、実際に使用されるキーワードは、さらに多数種類となることが想定されるからである。
而して上述の１００００本以上のような極めて多数のコールトラッキング用電話番号を１人のオーナーや企業が用意することは現実的ではなく、実際上、極めて困難ないし不可能である。
【０００６】
本発明は、上述のような従来の技術が抱えていた幾つかの課題を解決して、ウェブにおける消費者の行動履歴の情報やそれに基づく所謂ウェブ解析データと、電話での消費者の行動履歴の情報やそれに基づく所謂コールトラッキングデータとを統合（紐付け）し、その一連の流れを通して一貫した真のＣＶ（Ｃｏｎｖｅｒｓｉｏｎ）の計測等を可能にする、ウェブ・コールトラッキング統合方法およびその実施のために用いられるウェブ・コールトラッキング統合システムを提供することを目的としている。
【課題を解決するための手段】
【０００７】
（１）  本発明のウェブ・コールトラッキング統合方法は、消費者の情報処理端末装置の表示手段に表示されて前記消費者に閲覧されるように設定されているインターネットの所定のウェブページ内または広告枠内にそのオーナーまたは広告主（以下、これらを纏めて「オーナー」とも記載する）への情報要求のための番号情報の表示欄を設定するステップと、前記所定のウェブページまたは広告枠のオーナーによって、前記情報要求のための番号情報としても兼用される計測用番号情報を、予め複数本分用意するステップと、前記所定のウェブページまたは広告枠に係る消費者の行動履歴を分析するウェブ解析用のキーワードを設定するステップと、前記消費者が前記所定のウェブページまたは広告枠を閲覧したとき、前記番号情報の表示欄に、前記予め複数本分用意された計測用番号情報のうちから、そのとき利用可能な１つの計測用番号情報を選択し、それを所定の継続時間に亘って表示するステップと、前記消費者が前記所定のウェブページまたは広告枠を閲覧したとき、その時刻の情報と、前記所定のウェブページまたは広告枠に係るウェブ媒体またはブラウザの情報と、前記所定のウェブページまたは広告枠の閲覧の際に用いられた情報処理端末装置または広告媒体の種類の情報と、前記所定のウェブページまたは広告枠に含まれているキーワードの情報とを、１つに纏めて、コールデータとして記憶するステップと、前記消費者が前記所定のウェブページまたは広告枠を閲覧したときから、前記消費者に係るコールトラッキングを発動するステップと、を有する。
（２）  好適には、上述のウェブ・コールトラッキング統合方法において、前記インターネットの所定のウェブページ内または広告枠内に前記オーナーへの情報要求のための番号情報の表示欄を設定するステップの代わりに、前記インターネットの所定のウェブページ内または広告枠内に前記オーナーへの情報要求のための番号情報の表示要求ボタンまたは電話開始ボタンを設定するステップと、前記消費者が前記所定のウェブページまたは広告枠を閲覧したとき、前記番号情報の表示欄に、前記予め複数本分用意された計測用番号情報のうちから、そのとき利用可能な１つの計測用番号情報を選択し、それを所定の継続時間に亘って表示するステップの代わりに、前記消費者が番号情報の表示要求ボタンまたは電話開始ボタンをクリックしたとき、前記番号情報の表示欄に、前記予め複数本分用意された計測用番号情報のうちから、そのとき利用可能な１つの計測用番号情報を選択し、それを所定の継続時間に亘って表示するステップと、前記消費者が前記所定のウェブページまたは広告枠を閲覧したときから、前記消費者に係るコールトラッキングを発動するステップの代わりに、前記消費者が番号情報の表示要求ボタンまたは電話開始ボタンをクリックしたときから、前記消費者に係るコールトラッキングを発動するステップと、を有する。
（３）  また、好適には、上述のウェブ・コールトラッキング統合方法において、前記記憶されたコールデータを用い、前記コールデータに合致する前記消費者に係るウェブ解析データと前記コールトラッキングによって得られたコールトラッキングデータとを紐付けて、前記消費者の前記ウェブおよび電話における行動履歴の一貫した解析を可能とするデータを形成するステップを有するようにする。
（４）  また、好適には、前記所定のウェブページまたは広告枠の閲覧の際に用いられた情報処理端末装置の種類、または、前記情報要求の際に閲覧された印刷媒体を含む広告媒体の種類ごとに、異なった種類の番号情報を、前記計測用番号情報として、予め用意しておくようにしてもよい。
（５）  また、好適には、上述のウェブ・コールトラッキング統合方法において、前記コールデータは、前記消費者が前記情報要求の際に使用した前記消費者自身の所有する番号情報である発信者番号情報、前記情報要求に係る通話時間の情報のうち、すくなくとも１種類の情報を、さらに含むようにしてもよい。
（６）  本発明のウェブ・コールトラッキング統合システムは、ウェブ・コールトラッキング統合方法を実施するために用いられるシステムであって、予め複数本分用意された前記計測用番号情報を記憶する記憶手段と、前記消費者が前記所定のウェブページまたは広告枠を閲覧したとき、または、前記消費者が番号情報の表示要求ボタンまたは電話開始ボタンをクリックしたとき、前記複数本の計測用番号情報のうちからそのとき利用可能な１つの計測用番号情報を選択し、それを前記所定のウェブページまたは広告枠の番号情報欄に表示するべく読み出す計測用番号情報読出手段と、前記消費者が前記所定のウェブページまたは広告枠を閲覧したとき、または、前記消費者が番号情報の表示要求ボタンまたは電話開始ボタンをクリックしたときから、前記消費者に係るコールトラッキングを発動する、コールトラッキング発動手段と、を有する。
（７）  本発明のウェブ・コールトラッキング統合方法は、消費者の情報処理端末装置の表示手段に表示された前記消費者に閲覧されるように設定されているインターネットの所定の閲覧ウェブページ情報、並びに、閲覧ウェブページへ消費者が移行してくる前の前ウェブページから取得されるリファラ情報を取得し、前記閲覧ウェブページへ消費者が移行時又はその後に、複数の電話情報から１つを割り当て、  前記閲覧ウェブページ情報、リファラ情報、割り当てた電話情報、及び、割り当てた時間の第１時間情報を第１コールトラッキング情報として記憶するステップと、消費者から電話があった際に、少なくとも、その電話のあった第２電話情報と、電話のあった時間の第２時間情報と、を第２コールトラッキング情報として記憶するステップと、前記第１コールトラッキング情報と、前記第２コールトラッキング情報とを、統合するステップと、を有する。
【発明の効果】
【０００８】
本発明はウェブ（Ｗｅｂ）における消費者の行動履歴の情報等とコール（電話）トラッキングとを統合可能とすることで、消費者のウェブにおける検索〜ＬＰ（Ｌａｎｄｉｎｇ  Ｐａｇｅ）選択〜ページ閲覧と情報要求（問合せ、質問等）〜ＣＶ（契約、発注、予約等）との一連の行動履歴等を、統合して把握・解析することが可能となった。
【図面の簡単な説明】
【０００９】
【図１】本発明の一実施形態に係るウェブ・コールトラッキング統合方法の主要な流れをフロー図の形で示す説明図である。
【図２】本発明の一実施形態に係るウェブ・コールトラッキング統合システムの主要部の構成を模式的に示す説明図である。
【図３】本発明の一実施形態に係るウェブ・コールトラッキング統合システムの主要部の構成を、本発明の一実施形態に係る方法の流れにおいて、模式化して示した説明図である。
【図４】本発明の一実施形態に係るシステムおよび方法をポータルサイトの分析に用いた、より具体的な適用例を、主に消費者の視点から見た流れとして示した説明図である。
【図５】本発明の一実施形態に係るシステムおよび方法をＳＰに適用した場合の１例を模式化して示した説明図である。
【図６】本発明の一実施形態に係るシステムおよび方法によって提供されるコールデータを用いてＣＲＭから情報の流れを遡上するようにして、消費者のウェブから電話連絡（架電）までのデータを一連のデータとして紐付け、ウェブから電話問合せまでの一貫したキーワード分析や回遊経路分析等を行なう場合の１例を、模式化して示した説明図である。
【発明を実施するための形態】
【００１０】
図１は、本発明の一実施形態に係るウェブ・コールトラッキング統合方法（以下、簡潔化して「本方法」または「この方法」とも記述する）の主要な流れを模式的に示す説明図である。
【００１１】
この方法は、次のとおりのステップを、主要な流れとして含んで構成されている。
（１）  消費者４０の情報処理端末装置（例えばＰＣ、ＳＰ、その他各種のモバイル等）４００における、例えば液晶表示パネルのような表示手段４０１に表示されて消費者４０に閲覧されるように設定されている、インターネットの所定のウェブページ２０１（閲覧ウェブページ）内または広告枠内に、そのオーナーまたは広告主（以下、これらを纏めて「オーナー」とも記載する：図示省略）への電話連絡のための電話番号表示欄１０１を設定するステップ（Ｓ１）。
（２）  所定のウェブページ２０１（閲覧ウェブページ）または広告枠のオーナーまたは広告主等によって、上述の電話連絡のための電話番号としても兼用される計測用電話番号１００を、予め複数本分（例えば１０本などのような、例えば１５分間のような電話番号表示継続時間内に使用されることが想定される本数分、つまり一定時間内の同時セッションに対して電話番号が不足することのないような本数分）用意するステップ（Ｓ２）。
（３）  所定のウェブページ２０１（閲覧ウェブページ）または広告枠に係る消費者４０の行動履歴を分析するウェブ解析用のキーワードを設定するステップ（Ｓ３）。
（４）  消費者４０が上述の所定のウェブページ２０１（閲覧ウェブページ）または広告枠を閲覧したとき、または、消費者４０が電話番号１００の表示要求ボタンまたは電話開始ボタン１１１をクリックしたとき、電話番号表示欄１０１に、予め複数本分用意された計測用電話番号１００のうちから、そのとき利用可能な１つの計測用電話番号を選択し、それを所定の継続時間に亘って表示するステップ（Ｓ４）。
（５）  消費者４０が上述の所定のウェブページ２０１（閲覧ウェブページ）ジまたは広告枠を閲覧したとき、または、消費者４０が電話番号の表示要求ボタンまたは電話開始ボタン１１１をクリックしたとき、少なくとも、その時刻の情報と、そのときのウェブページ２０１（閲覧ウェブページ）または広告枠に係るウェブ媒体またはブラウザの情報と、そのときのウェブページ２０１（閲覧ウェブページ）または広告枠の閲覧の際に用いられた情報処理端末装置４００または例えばテレビ広告のような広告媒体（図示省略）の種類の情報と、そのときのウェブページ２０１（閲覧ウェブページ）または広告枠に含まれているキーワードの情報とを、１つに纏めて、コールデータ１０２として記憶するステップ（Ｓ５）。
（６）  消費者４０が上述の所定のウェブページ２０１（閲覧ウェブページ）または広告枠を閲覧したとき、または、消費者４０が電話番号の表示要求ボタンまたは電話開始ボタン１１１をクリックしたときから、その消費者４０に関してのコールトラッキングを発動するステップ（Ｓ６）。
（７）  上述のステップＳ５で記憶され、今まで蓄積されてきた多数のコールデータ１０２のうちから、本システムのユーザーが所望する解析の目的に適合するコールデータ１０２を読み出すステップ（Ｓ７）。
【００１２】
（８）  消費者４０のウェブおよび電話における行動履歴の一貫した解析を可能とするべく、上述のステップＳ５で記憶されたコールデータ１０２を用い、そのコールデータ１０２に合致する上述の消費者４０に係るウェブ解析データと、同消費者４０に係るコールトラッキングによって得られたコールトラッキングデータとを、紐付けて統合するステップ（Ｓ８）。
ここで、紐づけて統合する情報の中には、閲覧ウエブページ（図３の２０１、図４のＳ４３及びＳ４４）のリファラ情報、前ウェブページ（図３の２０１及び２０１、図４のＳ４１、Ｓ４２）のリファラ情報も統合の際に含まれる。これらの情報は、閲覧ウェブページページにユーザーが閲覧したときに、同様にコールデータ記憶手段３（図３参照）で取得・記憶可能な情報であるからである。
ここで、リファラ情報とは、リファラとは、キーワード（検索キーワード）やクリエイティブ、ターゲティング情報、広告のＩＤなど、分析に関わる様々な情報である。
【００１３】
なお、上述のステップＳ５、Ｓ６は、Ｓ４と同時かその直後に実行してもよく、または、Ｓ４の後に、上述とは逆のＳ６、Ｓ５の順番で実行するようにしてもよい。
【００１４】
また、本システムおよび方法では、従来のコールトラッキングシステムで行われていた、例えば０１２０−ＸＸＸ−ＸＸ１のような所謂オフィシャルフリーダイヤルを通さずに消費者から架電された計測用電話番号から直接に、ウェブページのオーナーや広告主が通常使用している例えば０３−３４５６−７８９Ｘのような受電番号へ転送することが可能である。
すなわち、フリーダイヤル料金の二重課金はされず、またオーナーや広告主が通常使用している受電環境も変更することなしに、本システムおよび方法を使用することが可能である。
【００１５】
また、ステップＳ７でウェブ解析データとコールトラッキングによって得られたコールトラッキングデータとを、コールデータ１０２をあたかも媒介（仲立ち）として用いて紐付けた後、その紐付けられて時系列的にウェブから電話のＣＶ（または未契約等）まで一貫した（つまり統合された）データを解析用データとして用いて、例えばＧｏｏｇｌｅ  Ａｎａｌｙｔｉｃｓ（登録商標）のような解析システムによる解析を行なうことができる。
【００１６】
図２は、本発明の一実施形態に係るウェブ・コールトラッキング統合システム（以下、簡潔化して「本システム」または「このシステム」とも記述する）の主要部の構成を模式的に示した説明図である。
【００１７】
このシステムは、上述のウェブ・コールトラッキング統合方法を実施するために用いられる、ウェブ・コールトラッキング統合システムであって、計測用電話番号記憶手段１、計測用電話番号読出手段２、コールデータ記憶手段３、コールトラッキング発動手段４を有している。それら構成要素は、次のように機能するものであると纏めることができる。
【００１８】
（１）  計測用電話番号記憶手段１は、例えば１５分間のような一定の継続時間に亘って広告枠等の電話番号表示欄１０１に表示される計測用電話番号を、その継続時間内に通常架電されることが想定される例えば１０本分のような複数本分が予め用意された、計測用電話番号１００を記憶する。
【００１９】
（２）  計測用電話番号読出手段２は、消費者４０が自身のＰＣのような情報処理端末装置４００を用いて、液晶表示パネル等からなる表示手段４０１に表示されるウェブページ２０１（閲覧ウェブページ）または広告枠を閲覧したとき、または、消費者４０が電話番号の表示要求ボタンまたは電話開始ボタン１１１をクリックしたとき、複数本の計測用電話番号２０のうちからそのとき利用可能な１つの計測用電話番号１００を選択し、それを上述の所定のウェブページ２０１（閲覧ウェブページ）または広告枠の電話番号表示欄１０１に表示するべく読み出す。
【００２０】
（３）  コールデータ記憶手段３は、消費者４１が所定のウェブページ２０１（閲覧ウェブページ）または広告枠を閲覧したときの、時刻の情報と、そのときウェブサーバー２００等から取得可能なウェブページ２０１（閲覧ウェブページ）または広告枠に係るウェブ媒体またはブラウザの情報と、ウェブページ２０１（閲覧ウェブページ）または広告枠の閲覧の際に用いられた情報処理端末装置４００またはそれ以外の例えば新聞やテレビのような広告媒体の種類の情報と、上述の所定のウェブページ２０１（閲覧ウェブページ）または広告枠に含まれているキーワードの情報とを、１つに纏めて、コールデータ１０２として記憶する。
他方、ウェブ解析システム２１０は、少なくともこのときまでの消費者４０のウェブにおける上述の閲覧履歴等の情報を収集し記憶する。
なお、このウェブ解析システム２１０の機能・動作それ自体については、一般的なもので構わないので（なぜなら、そのような一般的なウェブ解析システム自体に対して、本システムは簡便に協働可能であるから）、それについての詳細な説明は省略する。
【００２１】
（４）  コールトラッキング発動手段４は、消費者４０が所定のウェブページ２０１（閲覧ウェブページ）または広告枠を閲覧したとき、または、消費者４０が電話番号の表示要求ボタンまたは電話開始ボタン１１１をクリックしたときから、その消費者４０に係るコールトラッキングの発動を行なう。より具体的には、このコールトラッキング発動手段４が実質的にシステム制御手段として機能して、コールトラッキングシステム３１０によるコールトラッキング機能を発動させる。
【００２２】
（５）  コールデータ読出手段５は、上述のコールデータ記憶手段３に記憶されているコールデータ１０２のうちから、例えば本システムの契約者である広告主からの要請等により、その広告主の所望するコールデータ１０２を読み出す。
【００２３】
（６）  コールトラッキングデータ・ウェブ解析データ統合手段５は、コールデータ読出手段５によって読み出され、送られて来たコールデータ１０２を媒介として用いて、コールトラッキングデータ３１１とウェブ解析データ２１１とを紐付けて、それらを統合したデータに纏めて解析（分析）することができるようにする。
そして、その統合されたデータを、例えばＣＲＭ分析システム５００等に送り、そこでウェブから電話連絡まで一貫したＣＲＭ分析・ウェブ解析等を実行させるようにすることができる。
【００２４】
なお、本システムは、最も狭い構成として、その主要部１０のみを有し、それ以外のウェブサーバー２００、ウェブ解析システム２１０、コールトラッキングシステム３１０の各部位は全て外部のシステムを利用もしくは連携するものとすることも可能であるが、それのみには限定されない。
その他にも、例えば、ウェブサーバー２００、ウェブ解析システム２１０、コールトラッキングシステム３１０という各部位のうちの、少なくともいずれか１つ乃至それら全てを、本システムの構成要素の一部分として含むようにしてもよい。
そのようにすることにより、上述の各部位と本システムの主要部との間でのデータのやり取りをさらに円滑で確実なものとすることができる。
【００２５】
図３は、本発明の一実施形態に係るウェブ・コールトラッキング統合システムの主要部の構成を、上述の本方法の流れにおいて模式化して示した説明図である。
【００２６】
この図３では、消費者４０が「電話計測」というキーワードで検索を開始した場合を示している。
消費者４０は、自分の所望する条件に適合する電話計測システムの購入を企てるに当たり、Ｇｘｘｇｌｅという検索エンジンのポータルサイトのページ２０２（前ウェブページ）にアクセスするなどして「電話計測」というキーワードでの検索を行なう。
【００２７】
Ｇｘｘｇｌｅによる検索の結果ヒットした幾つかのウェブ広告サイトのリスト２０３（前ウェブページ）が表示される。
消費者４０は、リストアップされているサイトのうちの「Ｃａｌｌ  Ｄａｔａ  Ｂａｎｋ」というＬ社の広告サイトを選択しクリックする。
そして、そのＬ社のウェブサイトの広告ページが表示されるが、その際、本システム１０の計測用電話番号記憶手段１に記憶されている複数の計測用電話番号１００のうちの、そのとき架電に使用されていない、従ってそのとき使用可能なもののうちから、ランダムに１つの計測用電話番号（例えば０１２０−ＸＸＸ−ＸＸ１）が、計測用電話番号読出手段２によって選択されて、画面右下に設定されている電話番号表示欄１０１に表示される。
その計測用電話番号（例えば０１２０−ＸＸＸ−ＸＸ１）の表示は、例えば１５分間のような、予め定めておいた、後のウェブ解析データとコールトラッキングデータとの統合の際に有利に機能するような必要十分な長さの継続時間に設定することが望ましい。
【００２８】
それと同時に、またはそれより所定時間の後に、そのときＬ社の広告サイト、つまり「所定のウェブページ２０１（閲覧ウェブページ）または広告枠」を構成するためのデータを送信している例えばウェブサーバー２００などから、そのＬ社の広告サイトのウェブページに埋め込まれたタグ（例えばＪａｖａ  Ｓｃｒｉｐｔ  ｔａｇ：登録商標）等のリファラーによるキックバックデータ等に基づきそのウェブページ２０１（閲覧ウェブページ）内から抽出されるキーワード、それを閲覧している消費者４０のＩＤ、そのとき消費者４０が使用中の例えばＰＣのようなデバイスの種類、例えばＧｏｏｇｌｅ（登録商標）のようなウェブ媒体またはブラウザの種類などの情報が、そのときの日時および時刻の情報と共に所謂１ログの形に一纏めにされ、コールデータとして本システム１０のコールデータ記憶手段３に記憶（蓄積）される。
【００２９】
続いて、消費者４０は、上述の所定のウェブページ２０１（閲覧ウェブページ）の電話番号表示欄１０１に表示された計測用電話番号１００である０１２０−ＸＸＸ−ＸＸ１を見て、例えば自分の所有する固定電話の受話器４０２を取り、その電話番号０１２０−ＸＸＸ−ＸＸ１に電話をかける。
その際、電話番号０１２０−ＸＸＸ−ＸＸ１は、オーナー（広告主）が普段使用している、例えば０３−６７１０−０ＸＹＸのような電話番号に自動的に転換されて、そのオーナー（広告主）サイド３００の例えばＣＴＩ（Ｃｏｍｐｕｔｅｒ  Ｔｅｌｅｐｈｏｎｙ  Ｉｎｔｅｇｒａｔｉｏｎ）システム３０１等へ架電される。
そして、その後の消費者４０からの電話の内容や最終的なＣＶ結果等を、コールトラッキングシステム３１０が把握・記憶する。
【００３０】
上述のようにして、１人の消費者４０のウェブにおける閲覧履歴等の行動履歴がウェブ解析システムに記憶され、同消費者４０の電話における問合せや最終的なＣＶ等の行動履歴がコールトラッキングシステムに記憶され、かつ、その消費者４０がウェブの閲覧から電話での問い合わせに移行した時刻（移行したと推定される時刻を含む）の情報や、そのときのウェブ媒体の情報等を担持してなるコールデータが本システム１０のコールデータ記憶手段３に記憶される。
【００３１】
その後、例えば上述のＬ社のようなウェブ広告のオーナー（広告主）が自分の会社のウェブ広告の効果測定を実施したい場合には、まず、本システム１０のコールデータ記憶手段３に記憶され蓄積されている多数のコールデータ１０２のうちから、Ｌ社のＩＤを検索キーとして用いて、Ｌ社のウェブサイトに関係するコールデータ１０２のみを選択して読み出す。
【００３２】
そして、そのコールデータ１０２を仲介として用いるべく、ウェブ解析システム２１０に記憶されている多数のデータのうちから、コールデータ１０２に含まれているコールデータ１０２に含まれている計測用電話番号１００すなわち「０１２０−ＸＸＸ−ＸＸ１」、日時・時間の情報すなわち「２０１９年２月７日の１７時３５分から１７時４９分」、および、媒体の情報すなわち「検索エンジンＧｘｘｇｌｅによる検索」という情報に適合する情報を担持しているウェブ解析データ２１１を選択して読み出す。
また他方で、上述のコールデータ１０２を仲介として用いるべく、コールトラッキングシステム３１０に記憶されている多数のデータのうちから、コールデータ１０２に含まれている計測用電話番号１００すなわち「０１２０−ＸＸＸ−ＸＸ１」、日時・時間の情報すなわち「２０１９年２月７日の１７時３５分から１７時４９分」、および、媒体の情報すなわち「検索エンジンＧｘｘｇｌｅによる検索」という情報に適合する情報を担持しているコールトラッキングデータ３１１を選択して読み出す。
【００３３】
そして、それらは両方とも同じ１つのコールデータ１０２に適合する計測用電話番号、時刻等の情報を含んでいるデータであるから、その１つのコールデータ１０２を仲介として、高い信頼度を以て誤りなく、同じ１人の消費者４０によるウェブから電話ＣＶまでの一貫した解析データとして、互いに紐付けることができる。
【００３４】
このように、コールデータ１０２を仲介として、１人の消費者４０に係るウェブ解析データ２１１とコールトラッキングデータ３１１とを統合することが可能となる。
そして、その統合されたデータ５０１は、例えばＣＲＭシステム５００によって正確な解析が行なわれ、より実体に則した、消費者行動分析、ウェブ広告の効果測定、電話ＣＶの効果測定、および、ウェブから電話ＣＶまでの一貫した、正確な効果測定等を実現することが可能となる。
【００３５】
図４は、本発明の一実施形態に係るシステムおよび方法をポータルサイトの分析に用いた、より具体的な適用例を、主に消費者の視点から見た一連の流れとして示す説明図である。
【００３６】
消費者４０は、例えば自身の所有するＰＣのような情報処理端末装置４００を用い、プロバイダ（媒体）またはポータルサイトの検索エンジン等によって（図４の１例ではＧｘｘｇｌｅを使用）、その検索のためのキーワード２４１を「東京＊港区＊２ＬＤＫ」とする検索を行なう（ステップＳ４１）。
【００３７】
その検索要求に対応して、検索エンジンＧｘｘｇｌｅが検索を行い、その結果のリスト２４２をＰＣの画面に提示すると、消費者４００は、そのリスト２４２のうちから自身の関心を惹いたウェブページを選択する（ステップＳ４２）。
図４に示した一例の場合には、「ＡＢＣ不動産ポータル」２４３が選択されて、そのフロントページ２４４が表示される（ステップＳ４３）。
【００３８】
このようにして消費者４０は、「ＡＢＣ不動産ポータル」２４３のフロントページ２４４に辿り着き、引き続いてその「ＡＢＣ不動産ポータル」２４３の所定のウェブページ２４５を開く。この所定のウェブページ２４５が、図４に示した１例ではＬＰ（Ｌａｎｄｉｎｇ  Ｐａｇｅ）となる。
そして、消費者４０は、その所定のウェブページ２４５に表示されている賃貸不動産の広告内容に関心を抱くと、そのウェブページ２４５の所定位置に表示されている、電話番号表示要求のためのボタン１０３をクリックする（ステップＳ４４）。
【００３９】
そのボタン１０３のクリックに対応して、計測用電話番号１００として「０１２０−ＸＸＸ−ＸＸＸ」という所謂ダイヤルフリーの電話番号が、同ウェブページ２４５の所定位置、例えばクリックされるまでは「電話」というボタン１０３が表示されていた位置に、例えば５分間や２０分間のような所定の時間に亘って継続して表示される（ステップＳ４５）。
【００４０】
続いて、消費者４０が「ＡＢＣ不動産」に電話で問合せや注文をしたいと考えた場合には、そのとき表示されているウェブページ２４５の電話番号表示欄１０１に表示されているフリーダイヤルの電話番号「０１２０−ＸＸＸ−ＸＸＸ」でもある計測用電話番号１００に架電する（ステップＳ４６）。
【００４１】
消費者４０から計測用電話番号「０１２０−ＸＸＸ−ＸＸＸ」による架電が行なわれると、そのとき表示されているコールデータ１０２が、本システム１０のコールデータ記憶手段３に記憶される。
この図４の１例では、コールデータ１０２として、時刻、発信者電話番号、通話時間、使用したデバイスの種類、媒体名、キーワード、キャンペーン情報、エリア、の各情報が、そのとき選択されて使用された計測用電話番号１００と一纏めにして記憶される。
【００４２】
そして、そのコールデータ１０２は、既に説明したとおり、コールトラッキングシステム３１０によるコールトラッキングデータ３１１とウェブ解析システム２１０によるウェブ解析データ２１１とを紐付けて両者を統合するために用いられることとなる。
【００４３】
なお、図４に基づく上述の説明では、ウェブページ２４５をコールトラッキングが開始（発動）される所定のウェブページ２０１（閲覧ウェブページ）とするべく、ウェブページ２４５に電話番号表示要求のためのボタン１０３を設定しているが、このボタン１０３は、その他のページにも設定可能である。
例えば、ＡＢＣ不動産ポータルのフロントページ２４４に配置して、そのフロントページ２４４を本システムにおける上述の「所定のウェブページ」２０１とすることもできる。
あるいはその他のページ、例えば検索結果のリスト２４２のページや、検索用のキーワード２４１の入力ページ等に広告枠（図示省略）を表示するものとし、その表示枠内にボタン１０３を表示するようにしてもよい。
このように、電話番号表示要求のためのボタン１０３を設置した所望のウェブページ、または、計測用電話番号１００の電話番号表示欄１０１を設置した所望のウェブページを、コールトラッキングの発動ポイントとして、任意に設定することができる。
すなわち、本方法および本システムでは、任意のウェブページからコールトラッキングを発動することが可能であり、しかもその設定は、電話番号表示要求のためのボタン１０３または電話番号表示欄１０１を設置するページを設定または変更するだけで、極めて簡便に設定または変更することができるのである。
【００４４】
図５は、本発明の一実施形態に係るシステムおよび方法をＳＰに適用した場合の１例を模式化して示した説明図である。
【００４５】
この図５に示した１例では、検索のキーワードとして「電話計測」を用い、それに応答して「Ｃａｌｌ  Ｄａｔａ  Ｂａｎｋ」がリストアップされ、消費者４０がそれを選択して電話をかけた場合を示している。
広告ポータルにおける消費者４０による検索によって、ＳＰ４１０の画面４１１に、検索結果のリスト４１２が表示される。
消費者４０は、そのうちの「Ｃａｌｌ  Ｄａｔａ  Ｂａｎｋ」を選択するべく、その表示部分をタップする。
【００４６】
すると、そのタップに応答して、ＬＰ４１３が表示される。そのＬＰ４１３には、「お電話は下のボタンで！」というような、電話問い合わせへの導線が提示されている。その「ボタン」とは、電話番号表示要求ボタン兼用の電話開始ボタン１１１（以下、「電話開始ボタン１１１」と略称する）である。
消費者４０は、それに導かれて、電話開始ボタン１１１をタップする。
そのタップに応答して、計測用電話番号１００として、０１２０−ＸＸＸ−ＸＸＸが表示される。
そしてそのとき、コールデータ１０２が形成され、またそれと共に、コールトラッキングが発動（開始）される。
【００４７】
上述のように、ＳＰ４１０の場合には、所定のウェブページに電話開始ボタン１１１を設定しておけば、その電話開始ボタン１１１を消費者４０がタップした時点からコールトラッキングを発動できる。
これにより、消費者４０が実際に電話を店舗や広告主サイドにかけた場合にのみ、コールトラッキングを行い、電話をかけなかった場合に結局無駄になってしまうようなコールトラッキングは行わなくて済むようになる。
すなわち、例えばＰＣの画面に計測用電話番号を表示しても、結局のところ消費者４０がその電話番号に架電しなかった場合には、その後のコールトラッキングは実質的に全く無駄になってしまう場合があったが、本実施形態に係るシステムおよび方法に係る上述のような電話開始ボタン１１１または電話番号表示要求ボタンを所定のウェブページに設定することにより、そのウェブページを消費者４０が訪れて、実際に電話をかけた場合にのみ、コールトラッキングを発動することが可能となるのである。
【００４８】
図６は、本発明の一実施形態に係るシステムおよび方法によって提供されるコールデータを用い、上述のデータの流れをあたかも遡上（逆流）するようにして、コールトラッキングデータとウェブ解析データとを紐付け両者を統合するようにした場合の一連の流れを模式的に示す説明図である。
【００４９】
すなわち、図１−図５では、消費者４０のウェブから電話連絡（架電）までの、ウェブにおけるキーワード分析・回遊経路分析等の、コールトラッキングから見て所謂流入データを、コールトラッキングデータと紐付けて統合し、それをＣＲＭシステム５００等に投入して総合的な解析・分析を行なうという、矢線Ｖ６１を付して示した流れについて説明した。
而してこの図６に示した流れでは、ＣＲＭシステム５００等を介して、今度は流れを上述とは逆向きに、コールトラッキングデータを、ウェブ解析データと紐付けて統合し、それをウェブ解析システムに掛けて解析を行なうという、矢線Ｖ６２、Ｖ６３を付して示した流れとなっている。
このような紐付け方（統合の仕方の態様）も、本発明の一実施形態に係るシステムおよび方法によれば可能である。
【００５０】
さらには、この図６に示した１例では、消費者４０のウェブから電話連絡（架電）までの、ウェブにおけるキーワード分析・回遊経路分析等の、コールトラッキングから見て所謂流入データを、コールトラッキングデータと紐付けて統合し、それをＣＲＭシステム５００等に投入して総合的な解析・分析を行なうという、矢線Ｖ６１を付して示した流れと、それに続き、そのＣＲＭシステム５００等を介して、今度は流れを逆向きに、コールトラッキングデータを、ウェブ解析データと紐付けて統合し、それをウェブ解析システムに掛けて解析を行なうという、矢線Ｖ６２、Ｖ６３を付して示した流れとを、繋げて一連のサイクル的な流れとし、そのサイクルの回転を多数件のコールデータで繰り返すようにしている。このようにして得られた多数の解析データの蓄積により、ＣＲＭシステムによる解析・分析よりも飛躍的に信頼性の高い正確なＣＲＭ分析や、ウェブ解析、コールトラッキング、電話ＣＶ解析等を実現することが可能となる。
【００５１】
なお、図示は省略するが、消費者４０からの電話連絡の際に閲覧された、例えば新聞やテレビにおける広告のような、印刷媒体を含む広告媒体の種類ごとに、異なった種類の電話番号を、計測用電話番号として予め用意しておき、それをコールデータ１０２の計測用電話番号として用いるようにすることなども可能である。
このようにすることにより、ウェブ広告以外の広告媒体等からの流入データなども、その広告媒体に掲載されていた計測用電話番号を媒介として用いて、コールトラッキングデータと紐付けて統合することが可能となる。
【００５２】
＜実施形態の構成及び効果＞
本発明の一実施形態に係るシステムおよび方法によれば、以上説明したような構成を有するようにしたので、次に纏めた如く極めて有用でありまた顕著な効果が奏されることとなる。
【００５３】
（１）  本発明の一実施形態に係る方法は、消費者４０の情報処理端末装置（例えばＰＣ、ＳＰ、その他各種のモバイル等）４００における、例えば液晶表示パネルのような表示手段４０１に表示されて消費者４０に閲覧されるように設定されている、インターネットの所定のウェブページ２０１（閲覧ウェブページ）内または広告枠内に、そのオーナーまたは広告主への電話連絡のための電話番号表示欄１０１を設定するステップ（Ｓ１）と、ウェブページまたは広告枠のオーナーまたは広告主等によって、上述の電話連絡のための電話番号としても兼用される計測用電話番号１００を、予め複数本分用意するステップ（Ｓ２）と、所定のウェブページ２０１（閲覧ウェブページ）または広告枠に係る消費者の行動履歴を分析するウェブ解析用のキーワードを設定するステップ（Ｓ３）と、消費者が上述のウェブページまたは広告枠を閲覧したとき、または、消費者が電話番号の表示要求ボタンまたは電話開始ボタン１１１をクリックしたとき、電話番号表示欄１０１に、予め複数本分用意された計測用電話番号１００のうちから、そのとき利用可能な１つの計測用電話番号１００を選択し、それを所定の継続時間に亘って表示するステップ（Ｓ４）と、消費者４０が上述の所定のウェブページ１００または広告枠を閲覧したとき、または、消費者４０が電話番号の表示要求ボタンまたは電話開始ボタン１１１をクリックしたとき、その時刻の情報と、そのときのウェブページ２０１（閲覧ウェブページ）または広告枠に係るウェブ媒体またはブラウザの情報と、そのときのウェブページ２０１（閲覧ウェブページ）または広告枠の閲覧の際に用いられた情報処理端末装置４００または広告媒体の種類の情報と、そのときのウェブページ２０１（閲覧ウェブページ）または広告枠に含まれているキーワードの情報とを、１つに纏めて、コールデータ１０２として記憶するステップ（Ｓ５）と、消費者４０が上述のウェブページ２０１（閲覧ウェブページ）または広告枠を閲覧したとき、または、消費者４０が電話番号の表示要求ボタンまたは電話開始ボタン１１１をクリックしたときから、その消費者４０に関してのコールトラッキングを発動するステップ（Ｓ６）と、消費者４０のウェブおよび電話における行動履歴の一貫した解析を可能とするべく、上述のステップＳ５で記憶されたコールデータ１０２を読み出すステップ（Ｓ７）と、その読み出されたコールデータ１０２に合致する上述の消費者４０に係るウェブ解析データとコールトラッキングによって得られたコールトラッキングデータとを紐付けるステップ（Ｓ８）とを有する。
【００５４】
また、上述の方法に用いられるシステムは、予め複数本分用意された計測用電話番号１００を記憶する計測用電話番号記憶手段１と、消費者が自身のＰＣのような情報処理端末装置４００を用いて、その液晶表示パネル等からなる表示手段４０１に表示される所定のウェブページ２０１（閲覧ウェブページ）または広告枠を閲覧したとき、または、消費者４０が電話番号の表示要求ボタンまたは電話開始ボタン１１１をクリックしたとき、複数本の計測用電話番号１００のうちからそのとき利用可能な１つの計測用電話番号１００を選択し、それを上述のウェブページ２０１（閲覧ウェブページ）または広告枠の電話番号表示欄１０１に表示するべく読み出す計測用電話番号読出手段２と、消費者４０が所定のウェブページ２０１（閲覧ウェブページ）または広告枠を閲覧したときの、時刻の情報と、そのときウェブサーバー２００等から取得可能なウェブページ２０１（閲覧ウェブページ）または広告枠に係るウェブ媒体またはブラウザの情報と、ウェブページ２０１（閲覧ウェブページ）または広告枠の閲覧の際に用いられた情報処理端末装置４００またはそれ以外の例えば新聞やテレビのような広告媒体の種類の情報と、上述のウェブページ２０１（閲覧ウェブページ）または広告枠に含まれているキーワードの情報とを、１つに纏めて、コールデータ１０２として記憶するコールデータ記憶手段３と、消費者が所定のウェブページ２０１（閲覧ウェブページ）または広告枠を閲覧したとき、または、消費者４０が電話番号の表示要求ボタンまたは電話開始ボタン１１１をクリックしたときから、その消費者４０に係るコールトラッキングを発動し実行する、コールトラッキング発動手段４と、を少なくとも有する。
【００５５】
上述した構成、そのうちでも特に、消費者４０が自身の所有する例えばＰＣのような情報処理端末装置４００で上述所定のウェブページ２０１（閲覧ウェブページ）または広告枠を閲覧したとき、または、消費者４０が自身の所有する例えばＳＰ４１０で上述の電話番号の表示要求ボタンまたは電話開始ボタン１１１をクリックしたとき、それらＰＣやＳＰの電話番号表示欄１０１に、予め複数本分用意された計測用電話番号１００のうちから、そのとき利用可能な１つの計測用電話番号１００を選択し、それを所定の継続時間に亘って表示するステップ（Ｓ４）を有するようにしたことにより、予め用意することが必要な、消費者４０による電話連絡のための電話番号としても兼用される、計測用電話番号１００の総本数を、従来技術に係るコールトラッキングシステムおよび方法の場合に必要となっていた、例えば１０００本乃至１００００本分のような膨大な本数ではなく、それよりも桁違いに少ない、例えば１０本〜高々１００本程度（つまり従来の１００分の１乃至１０００分の１の）という極めて少ない本数で以て、多くの種類の流入経路（ウェブ媒体の種類、ウェブ以外の例えば新聞等のような広告媒体の種類）、使用した情報処理端末装置４００の種類、例えば１０００個の単語のような膨大な種類のキーワード等に基づく、極めて正確で信頼性の高いＣＲＭ分析等を実現することが可能となるという効果が奏される。
【００５６】
また、特に、消費者４０が上述の所定のウェブページ２０１（閲覧ウェブページ）または広告枠を閲覧したとき、または、消費者４０が電話番号の表示要求ボタンまたは電話開始ボタン１１１をクリックしたとき、その時刻の情報と、そのときのウェブページ２０１（閲覧ウェブページ）または広告枠に係るウェブ媒体またはブラウザの情報と、そのときのウェブページ２０１（閲覧ウェブページ）または広告枠の閲覧の際に用いられた情報処理端末装置４００または広告媒体の種類の情報と、そのときのウェブページ２０１（閲覧ウェブページ）または広告枠に含まれているキーワードの情報とを、１つに纏めて、コールデータ１０２として記憶するステップ（Ｓ５）を有するようにしたことにより、ウェブにおける消費者４０の行動履歴の情報と、電話での消費者４０の行動履歴の情報とを統合（紐付け）し、その一連の流れを通しての、真の電話ＣＶの計測やＲＯＩ（Ｒｅｔｕｒｎ  Ｏｎ  Ｉｎｖｅｓｔｍｅｎｔ）やコールトラッキングとウェブ解析との統合的分析等が可能になるという効果が奏される。
【００５７】
また、消費者４０が上述の所定のウェブページ２０１（閲覧ウェブページ）または広告枠を閲覧したとき、または、消費者４０が電話番号の表示要求ボタンまたは電話開始ボタン１１１をクリックしたときから、その消費者４０に関してのコールトラッキングを発動するステップ（Ｓ６）を有するようにしたことにより、ウェブページ２０１（閲覧ウェブページ）等のオーナーまたは広告主は、コールトラッキングの発動ポイントを自由に設定（設計）することができるという効果、および、実際には消費者４０が電話をしていない場合に無駄となってしまうコールトラッキングの発動を回避することができるという効果が奏される。
しかも、入稿ＵＲＬを発動キーに設定しているわけではないので、自然検索からの電話問い合わせへの流入の場合でも、電話ＣＶ計測等に対応することも可能であるという効果が奏される。
【００５８】
また、ウェブページ２０１（閲覧ウェブページ）または広告枠の閲覧の際に用いられた情報処理端末装置４００の種類、または、電話連絡の際に閲覧された印刷媒体を含む広告媒体の種類ごとに、異なった種類の電話番号を、計測用電話番号１００として、予め用意しておく。
このような構成としたことにより、計測用電話番号１００の総本数を、従来技術に係るコールトラッキングシステムおよび方法のそれよりも極めて少ない、まさに桁違いに少ない本数としつつも、従来よりも顕著に幅広い種類の流入経路（ウェブ媒体の種類、ウェブ以外の例えば新聞等のような広告媒体の種類、使用した情報処理端末装置４００や電話などの通信装置の種類など）、多様なキーワードによる分析を実現することが可能となるという効果が奏される。
【００５９】
また、コールデータ１０２は、消費者４０が電話連絡の際に使用した消費者自身の所有する電話番号である発信者電話番号、その電話連絡に係る通話時間の情報のうち、すくなくとも１種類の情報を、さらに含むようにしてもよい。
このような構成とすることにより、さらにきめの細かいコールトラッキングおよびそれに紐つけられる一連のウェブ解析等が可能となる。
【００６０】
本発明における、番号情報の一例が電話番号である。
本発明における、情報要求の一例が情報要求である。
本発明における、オーナの一例がオーナーまたは広告主である。
本発明における、リファラ情報とは、キーワード（検索キーワード）やクリエイティブ、ターゲティング情報、広告のＩＤなど、分析に関わる様々な情報である。
【符号の説明】
【００６１】
１  計測用電話番号記憶手段
２  計測用電話番号読出手段
３  コールデータ記憶手段
４  コールトラッキング発動手段
５  コールデータ読出手段
６  コールトラッキングデータ・ウェブ解析データ統合手段
１０  本システムの主要部
１００  計測用電話番号
１０１  電話番号表示欄
１０２  コールデータ
２００  ウェブサーバー
２０１  所定のウェブページ（計測用電話番号または電話ボタン）
２１０  ウェブ解析システム
３１０  コールトラッキングシステム
４００  情報処理端末装置
４０１  表示手段
４０２  受話器
【図１】
2020187671.tif 000003
【図２】
2020187671.tif 000004
【図３】
2020187671.tif 000005
【図４】
2020187671.tif 000006
【図５】
2020187671.tif 000007
【図６】
2020187671.tif 000008